(57)【要約】【課題】本発明は保存便利な小型ファンを開示した。【解決手段】回転ブロックを含み、前記回転ブロックの中には回転可能で固定可能な回転機構が設置され、前記回転機構は回転チャンバを含み、前記回転チャンバの中には回転ロッドが回転できるように係合し取り付けられ、前記回転ロッドには連結ロッドが固定的に取り付けられ、前記回転チャンバの後側には固定チャンバが設置され、前記固定チャンバの中には前記連結ロッドを固定できる固定ロッドがスライドできるように係合し取り付けられ、前記回転機構の上方には小型ファンに動力を提供する動力機構が設置される。【選択図】図１
2020180610.tif 000002
【特許請求の範囲】
【請求項１】
回転ブロックを含み、前記回転ブロックの中には回転可能で固定可能な回転機構が設置され、前記回転機構は回転チャンバを含み、前記回転チャンバの中には回転ロッドが回転できるように係合し取り付けられ、前記回転ロッドには連結ロッドが固定的に取り付けられ、前記回転チャンバの後側には固定チャンバが設置され、前記固定チャンバの中には前記連結ロッドを固定できる固定ロッドがスライドできるように係合し取り付けられ、前記回転機構の上方には小型ファンに動力を提供する動力機構が設置され、前記動力機構はモータチャンバを含み、前記モータチャンバの後側内壁の中には動力を提供するモータが固定的に取り付けられ、前記モータの後側には電池チャンバが設置され、前記電池チャンバの底壁には電池箱が固定的に取り付けられ、前記電池箱の中には前記モータに電力を提供する電池が置かれ、前記モータの前向きの出力軸の前側端面にはモータロッドが固定的に取り付けられ、前記モータロッドには三つの風を生成する羽根が固定的に取り付けられ、前記回転機構の下方には小型ファンを折畳んで置くことができる保存機構が設置され、前記保存機構は前記固定チャンバの後側に設置されたスライドレールを含み、前記スライドレールの中には第二移動ブロックと第一移動ブロックとがスライドできるように係合し取り付けられ、前記第二移動ブロックが前記第一移動ブロックの右側に位置しており、前記第二移動ブロックの中には左方に開口したスライド溝が設置され、前記スライド溝の中にはスライドブロックがスライドできるように係合し取り付けられ、前記第二移動ブロックと前記第一移動ブロックの底部端面には保存箱が固定的に取り付けられ、前記保存箱の中には小型ファンを保存できる保存チャンバが設置されることを特徴とする保存便利な小型ファン。
【請求項２】
前記回転機構は前記回転チャンバの下方に連通し設置される連結溝を含み、前記連結ロッドの後側端面の中には後方に開口した固定チャンバが設置され、前記固定ロッドが前記固定チャンバの中に固定されることができ、前記固定ロッドの底部端面と前記固定チャンバの底壁との間には固定ばねが固定的に取り付けられ、それにより連結ロッドを回し、固定ロッドを引き、固定ロッドを固定チャンバの中に置き、連結ロッドを固定することを特徴とする請求項１に記載の保存便利な小型ファン。
【請求項３】
前記動力機構は前記連結ロッドの頂部端面に固定的に取り付けられるモータ箱を含み、前記モータチャンバが前記モータ箱の中に設置され、前記モータ箱の前側端面には外殻が固定的に取り付けられ、前記外殻の中には風チャンバが設置され、前記モータロッドが前に伸びており、前記風チャンバの後側内壁を貫通しており、前記風チャンバの前後側内壁には風穴が設置され、前記モータと前記電池箱との間には電線が固定的に連結され、前記電池チャンバの前側内壁には補助チャンバが連通し設置され、前記補助チャンバの左右内壁の間には補助ロッドが回転できるように係合し取り付けられ、前記補助ロッドには前記電池チャンバと固定できる蓋板が固定的に取り付けられ、前記蓋板の頂部端面には蓋板溝が設置され、それにより蓋板溝により蓋板を開け、電池箱の中に電池を入れ、電線によりモータに電力を提供し、モータが起動しモータロッドを回転連動させ、モータロッドが回転し羽根を回転連動させ、風を生成することを特徴とする請求項１に記載の保存便利な小型ファン。
【請求項４】
前記保存機構は左側の前記保存箱の右側端面に設置される引きバックルを含み、右側の前記保存箱の左側端面には左方に開口した引きバックル溝が設置され、前記スライドブロックの中には位置制限チャンバが設置され、前記位置制限チャンバの中には位置制限ブロックがスライドできるように係合し取り付けられ、前記スライド溝の右側内壁には前記位置制限ブロックと固定的に連結される位置制限ロッドが固定的に取り付けられ、左側の前記保存箱の底部端面には下方に開口したボタンチャンバが設置され、前記ボタンチャンバの上方にはプッシュチャンバが設置され、前記プッシュチャンバの中にはプッシュブロックがスライドできるように係合し取り付けられ、前記プッシュブロックの底部端面には前記ボタンチャンバの頂壁を貫通しているプッシュロッドが固定的に取り付けられ、前記プッシュロッドの底部端面にはボタンが固定的に取り付けられ、前記ボタンの頂部端面と前記ボタンチャンバの頂壁との間にはボタンばねが固定的に取り付けられ、前記外殻の頂部端面の中には上方に開口した引掛り溝が設置され、前記引掛り溝の中には引掛りブロックがスライドできるように係合し取り付けられ、前記引掛りブロックの底部端面と前記引掛り溝の底壁との間には移動ばねが固定的に取り付けられ、前記引掛りブロックが前記プッシュチャンバの中に固定されることができ、それにより保存箱を引き開け、第二移動ブロックと第一移動ブロックとがスライドレールでスライドし、連結ロッドを回し、引掛りブロックをプッシュチャンバの中に固定し、保存を完成し、使用する必要があるとき、ボタンを押し、プッシュロッドをプッシュし上に移動させ、プッシュブロックが引掛りブロックを引掛り溝の中にプッシュし、小型ファンを取り出すことを特徴とする請求項１に記載の保存便利な小型ファン。
【発明の詳細な説明】
【技術分野】
【０００１】
本発明はファン分野を取り上げて、具体的には保存便利な小型ファンである。
【背景技術】
【０００２】
小型ファンを使わないとき、装置全体がスペースを占めており、携帯にも便利ではなく、一部の折畳小型ファンはファンを折畳むことだけであり、小型ファンを包むことがなく、カバンの中に置けば、ヘッドホンケーブルなどと絡みやすくなり、使用するときはとても不便である。
【先行技術文献】
【特許文献】
【０００３】
【特許文献１】中国特許出願公開第104863873号明細書
【発明の概要】
【発明が解決しようとする課題】
【０００４】
本発明の目的は保存便利な小型ファンを提供し、それは上記の現在の技術中の問題を解決できる。
【課題を解決するための手段】
【０００５】
本発明の保存便利な小型ファンは、回転ブロックを含み、前記回転ブロックの中には回転可能で固定可能な回転機構が設置され、前記回転機構は回転チャンバを含み、前記回転チャンバの中には回転ロッドが回転できるように係合し取り付けられ、前記回転ロッドには連結ロッドが固定的に取り付けられ、前記回転チャンバの後側には固定チャンバが設置され、前記固定チャンバの中には前記連結ロッドを固定できる固定ロッドがスライドできるように係合し取り付けられ、前記回転機構の上方には小型ファンに動力を提供する動力機構が設置され、前記動力機構はモータチャンバを含み、前記モータチャンバの後側内壁の中には動力を提供するモータが固定的に取り付けられ、前記モータの後側には電池チャンバが設置され、前記電池チャンバの底壁には電池箱が固定的に取り付けられ、前記電池箱の中には前記モータに電力を提供する電池が置かれ、前記モータの前向きの出力軸の前側端面にはモータロッドが固定的に取り付けられ、前記モータロッドには三つの風を生成する羽根が固定的に取り付けられ、前記回転機構の下方には小型ファンを折畳んで置くことができる保存機構が設置され、前記保存機構は前記固定チャンバの後側に設置されたスライドレールを含み、前記スライドレールの中には第二移動ブロックと第一移動ブロックとがスライドできるように係合し取り付けられ、前記第二移動ブロックが前記第一移動ブロックの右側に位置しており、前記第二移動ブロックの中には左方に開口したスライド溝が設置され、前記スライド溝の中にはスライドブロックがスライドできるように係合し取り付けられ、前記第二移動ブロックと前記第一移動ブロックの底部端面には保存箱が固定的に取り付けられ、前記保存箱の中には小型ファンを保存できる保存チャンバが設置される。
【０００６】
さらなる技術プラン、前記回転機構は前記回転チャンバの下方に連通し設置される連結溝を含み、前記連結ロッドの後側端面の中には後方に開口した固定チャンバが設置され、前記固定ロッドが前記固定チャンバの中に固定されることができ、前記固定ロッドの底部端面と前記固定チャンバの底壁との間には固定ばねが固定的に取り付けられる。
【０００７】
さらなる技術プラン、前記動力機構は前記連結ロッドの頂部端面に固定的に取り付けられるモータ箱を含み、前記モータチャンバが前記モータ箱の中に設置され、前記モータ箱の前側端面には外殻が固定的に取り付けられ、前記外殻の中には風チャンバが設置され、前記モータロッドが前に伸びており、前記風チャンバの後側内壁を貫通しており、前記風チャンバの前後側内壁には風穴が設置され、前記モータと前記電池箱との間には電線が固定的に連結され、前記電池チャンバの前側内壁には補助チャンバが連通し設置され、前記補助チャンバの左右内壁の間には補助ロッドが回転できるように係合し取り付けられ、前記補助ロッドには前記電池チャンバと固定できる蓋板が固定的に取り付けられ、前記蓋板の頂部端面には蓋板溝が設置される。
【０００８】
さらなる技術プラン、前記保存機構は左側の前記保存箱の右側端面に設置される引きバックルを含み、右側の前記保存箱の左側端面には左方に開口した引きバックル溝が設置され、前記スライドブロックの中には位置制限チャンバが設置され、前記位置制限チャンバの中には位置制限ブロックがスライドできるように係合し取り付けられ、前記スライド溝の右側内壁には前記位置制限ブロックと固定的に連結される位置制限ロッドが固定的に取り付けられ、左側の前記保存箱の底部端面には下方に開口したボタンチャンバが設置され、前記ボタンチャンバの上方にはプッシュチャンバが設置され、前記プッシュチャンバの中にはプッシュブロックがスライドできるように係合し取り付けられ、前記プッシュブロックの底部端面には前記ボタンチャンバの頂壁を貫通しているプッシュロッドが固定的に取り付けられ、前記プッシュロッドの底部端面にはボタンが固定的に取り付けられ、前記ボタンの頂部端面と前記ボタンチャンバの頂壁との間にはボタンばねが固定的に取り付けられ、前記外殻の頂部端面の中には上方に開口した引掛り溝が設置され、前記引掛り溝の中には引掛りブロックがスライドできるように係合し取り付けられ、前記引掛りブロックの底部端面と前記引掛り溝の底壁との間には移動ばねが固定的に取り付けられ、前記引掛りブロックが前記プッシュチャンバの中に固定されることができる。
【発明の効果】
【０００９】
本発明の有益的な効果は：本発明を使用するとき、固定ロッドが固定チャンバにより連結ロッドを固定し、小型ファンの使用安定性を保証し、使用しないとき、保存機構の中にある保存チャンバが外殻と連結ロッドとを包み、ヘッドホンケーブルなどが殼の中で絡みにくく、便利に使用と保存でき、保存スペースを減少し、普及する価値がある。
【図面の簡単な説明】
【００１０】
【図１】図１は本発明の構造概略図
【図２】図２は図１のＡ−Ａ方向の断面構造概略図
【図３】図３は図１のＢ−Ｂ方向の断面構造概略図
【図４】図４は図２のＣの拡大概略図
【図５】図５は図２のＤ−Ｄ方向の断面構造概略図
【発明を実施するための形態】
【００１１】
下記に図１−５をあわせて本発明について詳しく説明し、便利に説明するために、下記の方向を以下のように規定する：以下に述べる上下左右前後の方向と図１の自身投影関係の上下左右前後の方向とが一致である。
【００１２】
図１−５を参照し、本発明の保存便利な小型ファンは、回転ブロック１４を含み、前記回転ブロック１４の中には回転可能で固定可能な回転機構７０が設置され、前記回転機構７０は回転チャンバ１５を含み、前記回転チャンバ１５の中には回転ロッド１３が回転できるように係合し取り付けられ、前記回転ロッド１３には連結ロッド１２が固定的に取り付けられ、前記回転チャンバ１５の後側には固定チャンバ３０が設置され、前記固定チャンバ３０の中には前記連結ロッド１２を固定できる固定ロッド３３がスライドできるように係合し取り付けられ、前記回転機構７０の上方には小型ファンに動力を提供する動力機構９０が設置され、前記動力機構９０はモータチャンバ２７を含み、前記モータチャンバ２７の後側内壁の中には動力を提供するモータ２８が固定的に取り付けられ、前記モータ２８の後側には電池チャンバ５２が設置され、前記電池チャンバ５２の底壁には電池箱５０が固定的に取り付けられ、前記電池箱５０の中には前記モータ２８に電力を提供する電池５１が置かれ、前記モータ２８の前向きの出力軸の前側端面にはモータロッド２１が固定的に取り付けられ、前記モータロッド２１には三つの風を生成する羽根２２が固定的に取り付けられ、前記回転機構７０の下方には小型ファンを折畳んで置くことができる保存機構８０が設置され、前記保存機構８０は前記固定チャンバ３０の後側に設置されたスライドレール３２を含み、前記スライドレール３２の中には第二移動ブロック３１と第一移動ブロック３７とがスライドできるように係合し取り付けられ、前記第二移動ブロック３１が前記第一移動ブロック３７の右側に位置しており、前記第二移動ブロック３１の中には左方に開口したスライド溝３９が設置され、前記スライド溝３９の中にはスライドブロック３８がスライドできるように係合し取り付けられ、前記第二移動ブロック３１と前記第一移動ブロック３７の底部端面には保存箱１７が固定的に取り付けられ、前記保存箱１７の中には小型ファンを保存できる保存チャンバ１８が設置される。
【００１３】
前記回転機構７０は前記回転チャンバ１５の下方に連通し設置される連結溝１６を含み、前記連結ロッド１２の後側端面の中には後方に開口した固定チャンバ３４が設置され、前記固定ロッド３３が前記固定チャンバ３４の中に固定されることができ、前記固定ロッド３３の底部端面と前記固定チャンバ３０の底壁との間には固定ばね２９が固定的に取り付けられ、それにより連結ロッド１２を回し、固定ロッド３３を引き、固定ロッド３３を固定チャンバ３４の中に置き、連結ロッド１２を固定する。
【００１４】
前記動力機構９０は前記連結ロッド１２の頂部端面に固定的に取り付けられるモータ箱３５を含み、前記モータチャンバ２７が前記モータ箱３５の中に設置され、前記モータ箱３５の前側端面には外殻１１が固定的に取り付けられ、前記外殻１１の中には風チャンバ２３が設置され、前記モータロッド２１が前に伸びており、前記風チャンバ２３の後側内壁を貫通しており、前記風チャンバ２３の前後側内壁には風穴２６が設置され、前記モータ２８と前記電池箱５０との間には電線４９が固定的に連結され、前記電池チャンバ５２の前側内壁には補助チャンバ５６が連通し設置され、前記補助チャンバ５６の左右内壁の間には補助ロッド５５が回転できるように係合し取り付けられ、前記補助ロッド５５には前記電池チャンバ５２と固定できる蓋板５４が固定的に取り付けられ、前記蓋板５４の頂部端面には蓋板溝５３が設置され、それにより蓋板溝５３により蓋板５４を開け、電池箱５０の中に電池５１を入れ、電線４９によりモータ２８に電力を提供し、モータ２８が起動しモータロッド２１を回転連動させ、モータロッド２１が回転し羽根２２を回転連動させ、風を生成する。
【００１５】
前記保存機構８０は左側の前記保存箱１７の右側端面に設置される引きバックル１９を含み、右側の前記保存箱１７の左側端面には左方に開口した引きバックル溝２０が設置され、前記スライドブロック３８の中には位置制限チャンバ４０が設置され、前記位置制限チャンバ４０の中には位置制限ブロック４２がスライドできるように係合し取り付けられ、前記スライド溝３９の右側内壁には前記位置制限ブロック４２と固定的に連結される位置制限ロッド４１が固定的に取り付けられ、左側の前記保存箱１７の底部端面には下方に開口したボタンチャンバ４３が設置され、前記ボタンチャンバ４３の上方にはプッシュチャンバ４８が設置され、前記プッシュチャンバ４８の中にはプッシュブロック４７がスライドできるように係合し取り付けられ、前記プッシュブロック４７の底部端面には前記ボタンチャンバ４３の頂壁を貫通しているプッシュロッド４６が固定的に取り付けられ、前記プッシュロッド４６の底部端面にはボタン４５が固定的に取り付けられ、前記ボタン４５の頂部端面と前記ボタンチャンバ４３の頂壁との間にはボタンばね４４が固定的に取り付けられ、前記外殻１１の頂部端面の中には上方に開口した引掛り溝２５が設置され、前記引掛り溝２５の中には引掛りブロック２４がスライドできるように係合し取り付けられ、前記引掛りブロック２４の底部端面と前記引掛り溝２５の底壁との間には移動ばね３６が固定的に取り付けられ、前記引掛りブロック２４が前記プッシュチャンバ４８の中に固定されることができ、それにより保存箱１７を引き開け、第二移動ブロック３１と第一移動ブロック３７とがスライドレール３２でスライドし、連結ロッド１２を回し、引掛りブロック２４をプッシュチャンバ４８の中に固定し、保存を完成し、使用する必要があるとき、ボタン４５を押し、プッシュロッド４６をプッシュし上に移動させ、プッシュブロック４７が引掛りブロック２４を引掛り溝２５の中にプッシュし、小型ファンを取り出す。
【００１６】
使用するとき、連結ロッド１２を回し、固定ロッド３３を引き、固定ロッド３３を固定チャンバ３４の中に置き、連結ロッド１２を固定し、蓋板溝５３により蓋板５４を開け、電池箱５０の中に電池５１を入れ、電線４９によりモータ２８に電力を提供し、モータ２８が起動しモータロッド２１を回転連動させ、モータロッド２１が回転し羽根２２を回転連動させ、風を生成し、使用しないとき、保存箱１７を引き開け、第二移動ブロック３１と第一移動ブロック３７とがスライドレール３２でスライドし、連結ロッド１２を回し、引掛りブロック２４をプッシュチャンバ４８の中に固定し、保存を完成し、保存スペースを減少し、使用するとき、ボタン４５を押し、プッシュロッド４６をプッシュし上に移動させ、プッシュブロック４７が引掛りブロック２４を引掛り溝２５の中にプッシュし、小型ファンを取り出す。
【００１７】
本発明の有益的な効果は：本発明を使用するとき、固定ロッドが固定チャンバにより連結ロッドを固定し、小型ファンの使用安定性を保証し、使用しないとき、保存機構の中にある保存チャンバが外殻と連結ロッドとを包み、ヘッドホンケーブルなどが殼の中で絡みにくく、便利に使用と保存でき、保存スペースを減少し、普及する価値がある。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020180610.tif 000003
【図２】
2020180610.tif 000004
【図３】
2020180610.tif 000005
【図４】
2020180610.tif 000006
【図５】
2020180610.tif 000007
【手続補正書】
【提出日】令和1年10月15日(2019.10.15)
【手続補正１】
【補正対象書類名】特許請求の範囲
【補正対象項目名】全文
【補正方法】変更
【補正の内容】
【特許請求の範囲】
【請求項１】
回転ブロックを含み、前記回転ブロックの中には回転可能で固定可能な回転機構が設置され、前記回転機構は回転チャンバを含み、前記回転チャンバの中には回転ロッドが回転できるように係合し取り付けられ、前記回転ロッドには連結ロッドが固定的に取り付けられ、前記回転チャンバの後側には固定チャンバが設置され、前記固定チャンバの中には前記連結ロッドを固定できる固定ロッドがスライドできるように係合し取り付けられ、前記回転機構の上方には小型ファンに動力を提供する動力機構が設置され、前記動力機構はモータチャンバを含み、前記モータチャンバの後側内壁の中には動力を提供するモータが固定的に取り付けられ、前記モータの後側には電池チャンバが設置され、前記電池チャンバの底壁には電池箱が固定的に取り付けられ、前記電池箱の中には前記モータに電力を提供する電池が置かれ、前記モータの前向きの出力軸の前側端面にはモータロッドが固定的に取り付けられ、前記モータロッドには三つの風を生成する羽根が固定的に取り付けられ、前記回転機構の下方には小型ファンを折畳んで置くことができる保存機構が設置され、前記保存機構は前記固定チャンバの後側に設置されたスライドレールを含み、前記スライドレールの中には第二移動ブロックと第一移動ブロックとがスライドできるように係合し取り付けられ、前記第二移動ブロックが前記第一移動ブロックの右側に位置しており、前記第二移動ブロックの中には左方に開口したスライド溝が設置され、前記スライド溝の中にはスライドブロックがスライドできるように係合し取り付けられ、前記第二移動ブロックと前記第一移動ブロックの底部端面には保存箱が固定的に取り付けられ、前記保存箱の中には小型ファンを保存できる保存チャンバが設置され、
前記回転機構は前記回転チャンバの下方に連通し設置される連結溝を含み、前記連結ロッドの後側端面の中には後方に開口した固定チャンバが設置され、前記固定ロッドが前記固定チャンバの中に固定されることができ、前記固定ロッドの底部端面と前記固定チャンバの底壁との間には固定ばねが固定的に取り付けられ、それにより連結ロッドを回し、固定ロッドを引き、固定ロッドを固定チャンバの中に置き、連結ロッドを固定し、
前記動力機構は前記連結ロッドの頂部端面に固定的に取り付けられるモータ箱を含み、前記モータチャンバが前記モータ箱の中に設置され、前記モータ箱の前側端面には外殻が固定的に取り付けられ、前記外殻の中には風チャンバが設置され、前記モータロッドが前に伸びており、前記風チャンバの後側内壁を貫通しており、前記風チャンバの前後側内壁には風穴が設置され、前記モータと前記電池箱との間には電線が固定的に連結され、前記電池チャンバの前側内壁には補助チャンバが連通し設置され、前記補助チャンバの左右内壁の間には補助ロッドが回転できるように係合し取り付けられ、前記補助ロッドには前記電池チャンバと固定できる蓋板が固定的に取り付けられ、前記蓋板の頂部端面には蓋板溝が設置され、それにより蓋板溝により蓋板を開け、電池箱の中に電池を入れ、電線によりモータに電力を提供し、モータが起動しモータロッドを回転連動させ、モータロッドが回転し羽根を回転連動させ、風を生成し、
前記保存機構は左側の前記保存箱の右側端面に設置される引きバックルを含み、右側の前記保存箱の左側端面には左方に開口した引きバックル溝が設置され、前記スライドブロックの中には位置制限チャンバが設置され、前記位置制限チャンバの中には位置制限ブロックがスライドできるように係合し取り付けられ、前記スライド溝の右側内壁には前記位置制限ブロックと固定的に連結される位置制限ロッドが固定的に取り付けられ、左側の前記保存箱の底部端面には下方に開口したボタンチャンバが設置され、前記ボタンチャンバの上方にはプッシュチャンバが設置され、前記プッシュチャンバの中にはプッシュブロックがスライドできるように係合し取り付けられ、前記プッシュブロックの底部端面には前記ボタンチャンバの頂壁を貫通しているプッシュロッドが固定的に取り付けられ、前記プッシュロッドの底部端面にはボタンが固定的に取り付けられ、前記ボタンの頂部端面と前記ボタンチャンバの頂壁との間にはボタンばねが固定的に取り付けられ、前記外殻の頂部端面の中には上方に開口した引掛り溝が設置され、前記引掛り溝の中には引掛りブロックがスライドできるように係合し取り付けられ、前記引掛りブロックの底部端面と前記引掛り溝の底壁との間には移動ばねが固定的に取り付けられ、前記引掛りブロックが前記プッシュチャンバの中に固定されることができ、それにより保存箱を引き開け、第二移動ブロックと第一移動ブロックとがスライドレールでスライドし、連結ロッドを回し、引掛りブロックをプッシュチャンバの中に固定し、保存を完成し、使用する必要があるとき、ボタンを押し、プッシュロッドをプッシュし上に移動させ、プッシュブロックが引掛りブロックを引掛り溝の中にプッシュし、小型ファンを取り出すことを特徴とする保存便利な小型ファン。
【手続補正２】
【補正対象書類名】明細書
【補正対象項目名】全文
【補正方法】変更
【補正の内容】
【発明の詳細な説明】
【技術分野】
【０００１】
本発明はファン分野を取り上げて、具体的には保存便利な小型ファンである。
【背景技術】
【０００２】
小型ファンを使わないとき、装置全体がスペースを占めており、携帯にも便利ではなく、一部の折畳小型ファンはファンを折畳むことだけであり、小型ファンを包むことがなく、カバンの中に置けば、ヘッドホンケーブルなどと絡みやすくなり、使用するときはとても不便である。
【先行技術文献】
【特許文献】
【０００３】
【特許文献１】中国特許出願公開第１０４８６３８７３号明細書
【発明の概要】
【発明が解決しようとする課題】
【０００４】
本発明の目的は保存便利な小型ファンを提供し、それは上記の現在の技術中の問題を解決できる。
【課題を解決するための手段】
【０００５】
本発明の保存便利な小型ファンは、回転ブロックを含み、前記回転ブロックの中には回転可能で固定可能な回転機構が設置され、前記回転機構は回転チャンバを含み、前記回転チャンバの中には回転ロッドが回転できるように係合し取り付けられ、前記回転ロッドには連結ロッドが固定的に取り付けられ、前記回転チャンバの後側には固定チャンバが設置され、前記固定チャンバの中には前記連結ロッドを固定できる固定ロッドがスライドできるように係合し取り付けられ、前記回転機構の上方には小型ファンに動力を提供する動力機構が設置され、前記動力機構はモータチャンバを含み、前記モータチャンバの後側内壁の中には動力を提供するモータが固定的に取り付けられ、前記モータの後側には電池チャンバが設置され、前記電池チャンバの底壁には電池箱が固定的に取り付けられ、前記電池箱の中には前記モータに電力を提供する電池が置かれ、前記モータの前向きの出力軸の前側端面にはモータロッドが固定的に取り付けられ、前記モータロッドには三つの風を生成する羽根が固定的に取り付けられ、前記回転機構の下方には小型ファンを折畳んで置くことができる保存機構が設置され、前記保存機構は前記固定チャンバの後側に設置されたスライドレールを含み、前記スライドレールの中には第二移動ブロックと第一移動ブロックとがスライドできるように係合し取り付けられ、前記第二移動ブロックが前記第一移動ブロックの右側に位置しており、前記第二移動ブロックの中には左方に開口したスライド溝が設置され、前記スライド溝の中にはスライドブロックがスライドできるように係合し取り付けられ、前記第二移動ブロックと前記第一移動ブロックの底部端面には保存箱が固定的に取り付けられ、前記保存箱の中には小型ファンを保存できる保存チャンバが設置される。
【０００６】
さらなる技術プラン、前記回転機構は前記回転チャンバの下方に連通し設置される連結溝を含み、前記連結ロッドの後側端面の中には後方に開口した固定チャンバが設置され、前記固定ロッドが前記固定チャンバの中に固定されることができ、前記固定ロッドの底部端面と前記固定チャンバの底壁との間には固定ばねが固定的に取り付けられる。
【０００７】
さらなる技術プラン、前記動力機構は前記連結ロッドの頂部端面に固定的に取り付けられるモータ箱を含み、前記モータチャンバが前記モータ箱の中に設置され、前記モータ箱の前側端面には外殻が固定的に取り付けられ、前記外殻の中には風チャンバが設置され、前記モータロッドが前に伸びており、前記風チャンバの後側内壁を貫通しており、前記風チャンバの前後側内壁には風穴が設置され、前記モータと前記電池箱との間には電線が固定的に連結され、前記電池チャンバの前側内壁には補助チャンバが連通し設置され、前記補助チャンバの左右内壁の間には補助ロッドが回転できるように係合し取り付けられ、前記補助ロッドには前記電池チャンバと固定できる蓋板が固定的に取り付けられ、前記蓋板の頂部端面には蓋板溝が設置される。
【０００８】
さらなる技術プラン、前記保存機構は左側の前記保存箱の右側端面に設置される引きバックルを含み、右側の前記保存箱の左側端面には左方に開口した引きバックル溝が設置され、前記スライドブロックの中には位置制限チャンバが設置され、前記位置制限チャンバの中には位置制限ブロックがスライドできるように係合し取り付けられ、前記スライド溝の右側内壁には前記位置制限ブロックと固定的に連結される位置制限ロッドが固定的に取り付けられ、左側の前記保存箱の底部端面には下方に開口したボタンチャンバが設置され、前記ボタンチャンバの上方にはプッシュチャンバが設置され、前記プッシュチャンバの中にはプッシュブロックがスライドできるように係合し取り付けられ、前記プッシュブロックの底部端面には前記ボタンチャンバの頂壁を貫通しているプッシュロッドが固定的に取り付けられ、前記プッシュロッドの底部端面にはボタンが固定的に取り付けられ、前記ボタンの頂部端面と前記ボタンチャンバの頂壁との間にはボタンばねが固定的に取り付けられ、前記外殻の頂部端面の中には上方に開口した引掛り溝が設置され、前記引掛り溝の中には引掛りブロックがスライドできるように係合し取り付けられ、前記引掛りブロックの底部端面と前記引掛り溝の底壁との間には移動ばねが固定的に取り付けられ、前記引掛りブロックが前記プッシュチャンバの中に固定されることができる。
【発明の効果】
【０００９】
本発明の有益的な効果は：本発明を使用するとき、固定ロッドが固定チャンバにより連結ロッドを固定し、小型ファンの使用安定性を保証し、使用しないとき、保存機構の中にある保存チャンバが外殻と連結ロッドとを包み、ヘッドホンケーブルなどが殼の中で絡みにくく、便利に使用と保存でき、保存スペースを減少し、普及する価値がある。
【図面の簡単な説明】
【００１０】
【図１】図１は本発明の構造概略図
【図２】図２は図１のＡ−Ａ方向の断面構造概略図
【図３】図３は図１のＢ−Ｂ方向の断面構造概略図
【図４】図４は図２のＣの拡大概略図
【図５】図５は図２のＤ−Ｄ方向の断面構造概略図
【発明を実施するための形態】
【００１１】
下記に図１−５をあわせて本発明について詳しく説明し、本出願に記載された各方向は図１で本願発明装置を見る方向と同じである。
【００１２】
図１−５を参照し、本発明の保存便利な小型ファンは、回転ブロック１４を含み、前記回転ブロック１４の中には回転可能で固定可能な回転機構７０が設置され、前記回転機構７０は回転チャンバ１５を含み、前記回転チャンバ１５の中には回転ロッド１３が回転できるように係合し取り付けられ、前記回転ロッド１３には連結ロッド１２が固定的に取り付けられ、前記回転チャンバ１５の後側には固定チャンバ３０が設置され、前記固定チャンバ３０の中には前記連結ロッド１２を固定できる固定ロッド３３がスライドできるように係合し取り付けられ、前記回転機構７０の上方には小型ファンに動力を提供する動力機構９０が設置され、前記動力機構９０はモータチャンバ２７を含み、前記モータチャンバ２７の後側内壁の中には動力を提供するモータ２８が固定的に取り付けられ、前記モータ２８の後側には電池チャンバ５２が設置され、前記電池チャンバ５２の底壁には電池箱５０が固定的に取り付けられ、前記電池箱５０の中には前記モータ２８に電力を提供する電池５１が置かれ、前記モータ２８の前向きの出力軸の前側端面にはモータロッド２１が固定的に取り付けられ、前記モータロッド２１には三つの風を生成する羽根２２が固定的に取り付けられ、前記回転機構７０の下方には小型ファンを折畳んで置くことができる保存機構８０が設置され、前記保存機構８０は前記固定チャンバ３０の後側に設置されたスライドレール３２を含み、前記スライドレール３２の中には第二移動ブロック３１と第一移動ブロック３７とがスライドできるように係合し取り付けられ、前記第二移動ブロック３１が前記第一移動ブロック３７の右側に位置しており、前記第二移動ブロック３１の中には左方に開口したスライド溝３９が設置され、前記スライド溝３９の中にはスライドブロック３８がスライドできるように係合し取り付けられ、前記第二移動ブロック３１と前記第一移動ブロック３７の底部端面には保存箱１７が固定的に取り付けられ、前記保存箱１７の中には小型ファンを保存できる保存チャンバ１８が設置される。
【００１３】
前記回転機構７０は前記回転チャンバ１５の下方に連通し設置される連結溝１６を含み、前記連結ロッド１２の後側端面の中には後方に開口した固定チャンバ３４が設置され、前記固定ロッド３３が前記固定チャンバ３４の中に固定されることができ、前記固定ロッド３３の底部端面と前記固定チャンバ３０の底壁との間には固定ばね２９が固定的に取り付けられ、それにより連結ロッド１２を回し、固定ロッド３３を引き、固定ロッド３３を固定チャンバ３４の中に置き、連結ロッド１２を固定する。
【００１４】
前記動力機構９０は前記連結ロッド１２の頂部端面に固定的に取り付けられるモータ箱３５を含み、前記モータチャンバ２７が前記モータ箱３５の中に設置され、前記モータ箱３５の前側端面には外殻１１が固定的に取り付けられ、前記外殻１１の中には風チャンバ２３が設置され、前記モータロッド２１が前に伸びており、前記風チャンバ２３の後側内壁を貫通しており、前記風チャンバ２３の前後側内壁には風穴２６が設置され、前記モータ２８と前記電池箱５０との間には電線４９が固定的に連結され、前記電池チャンバ５２の前側内壁には補助チャンバ５６が連通し設置され、前記補助チャンバ５６の左右内壁の間には補助ロッド５５が回転できるように係合し取り付けられ、前記補助ロッド５５には前記電池チャンバ５２と固定できる蓋板５４が固定的に取り付けられ、前記蓋板５４の頂部端面には蓋板溝５３が設置され、それにより蓋板溝５３により蓋板５４を開け、電池箱５０の中に電池５１を入れ、電線４９によりモータ２８に電力を提供し、モータ２８が起動しモータロッド２１を回転連動させ、モータロッド２１が回転し羽根２２を回転連動させ、風を生成する。
【００１５】
前記保存機構８０は左側の前記保存箱１７の右側端面に設置される引きバックル１９を含み、右側の前記保存箱１７の左側端面には左方に開口した引きバックル溝２０が設置され、前記スライドブロック３８の中には位置制限チャンバ４０が設置され、前記位置制限チャンバ４０の中には位置制限ブロック４２がスライドできるように係合し取り付けられ、前記スライド溝３９の右側内壁には前記位置制限ブロック４２と固定的に連結される位置制限ロッド４１が固定的に取り付けられ、左側の前記保存箱１７の底部端面には下方に開口したボタンチャンバ４３が設置され、前記ボタンチャンバ４３の上方にはプッシュチャンバ４８が設置され、前記プッシュチャンバ４８の中にはプッシュブロック４７がスライドできるように係合し取り付けられ、前記プッシュブロック４７の底部端面には前記ボタンチャンバ４３の頂壁を貫通しているプッシュロッド４６が固定的に取り付けられ、前記プッシュロッド４６の底部端面にはボタン４５が固定的に取り付けられ、前記ボタン４５の頂部端面と前記ボタンチャンバ４３の頂壁との間にはボタンばね４４が固定的に取り付けられ、前記外殻１１の頂部端面の中には上方に開口した引掛り溝２５が設置され、前記引掛り溝２５の中には引掛りブロック２４がスライドできるように係合し取り付けられ、前記引掛りブロック２４の底部端面と前記引掛り溝２５の底壁との間には移動ばね３６が固定的に取り付けられ、前記引掛りブロック２４が前記プッシュチャンバ４８の中に固定されることができ、それにより保存箱１７を引き開け、第二移動ブロック３１と第一移動ブロック３７とがスライドレール３２でスライドし、連結ロッド１２を回し、引掛りブロック２４をプッシュチャンバ４８の中に固定し、保存を完成し、使用する必要があるとき、ボタン４５を押し、プッシュロッド４６をプッシュし上に移動させ、プッシュブロック４７が引掛りブロック２４を引掛り溝２５の中にプッシュし、小型ファンを取り出す。
【００１６】
使用するとき、連結ロッド１２を回し、固定ロッド３３を引き、固定ロッド３３を固定チャンバ３４の中に置き、連結ロッド１２を固定し、蓋板溝５３により蓋板５４を開け、電池箱５０の中に電池５１を入れ、電線４９によりモータ２８に電力を提供し、モータ２８が起動しモータロッド２１を回転連動させ、モータロッド２１が回転し羽根２２を回転連動させ、風を生成し、使用しないとき、保存箱１７を引き開け、第二移動ブロック３１と第一移動ブロック３７とがスライドレール３２でスライドし、連結ロッド１２を回し、引掛りブロック２４をプッシュチャンバ４８の中に固定し、保存を完成し、保存スペースを減少し、使用するとき、ボタン４５を押し、プッシュロッド４６をプッシュし上に移動させ、プッシュブロック４７が引掛りブロック２４を引掛り溝２５の中にプッシュし、小型ファンを取り出す。
【００１７】
本発明の有益的な効果は：本発明を使用するとき、固定ロッドが固定チャンバにより連結ロッドを固定し、小型ファンの使用安定性を保証し、使用しないとき、保存機構の中にある保存チャンバが外殻と連結ロッドとを包み、ヘッドホンケーブルなどが殼の中で絡みにくく、便利に使用と保存でき、保存スペースを減少し、普及する価値がある。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正書】
【提出日】令和2年1月20日(2020.1.20)
【手続補正１】
【補正対象書類名】特許請求の範囲
【補正対象項目名】全文
【補正方法】変更
【補正の内容】
【特許請求の範囲】
【請求項１】
正面視で、装着ブロックの上側には上方に開口した回転チャンバが設置されている保存便利な小型ファンであって、前記装着ブロックを含み、前記装着ブロックの中には回転可能で固定可能な回転機構が設置され、前記回転機構は前記回転チャンバを含み、前記回転チャンバの中には回転ロッドが回転できるように係合し取り付けられ、前記回転ロッドには連結ロッドが固定的に取り付けられ、前記回転チャンバの後側には固定チャンバが設置され、前記固定チャンバの中には前記連結ロッドを固定できる固定ロッドがスライドできるように係合し取り付けられ、前記回転機構の上方には小型ファンに動力を提供する動力機構が設置され、前記動力機構はモータチャンバを含み、前記モータチャンバの後側内壁の中には動力を提供するモータが固定的に取り付けられ、前記モータの後側には電池チャンバが設置され、前記電池チャンバの底壁には電池箱が固定的に取り付けられ、前記電池箱の中には前記モータに電力を提供する電池が置かれ、前記モータの前向きの出力軸の前側端面にはモータロッドが固定的に取り付けられ、前記モータロッドには三つの風を生成する羽根が固定的に取り付けられ、前記回転機構の下方には小型ファンを折畳んで置くことができる保存機構が設置され、前記保存機構は前記固定チャンバの後側に設置されたスライドレールを含み、前記スライドレールの中には第二移動ブロックと第一移動ブロックとがスライドできるように係合し取り付けられ、前記第二移動ブロックが前記第一移動ブロックの右側に位置しており、前記第二移動ブロックの中には左方に開口したスライド溝が設置され、前記スライド溝の中にはスライドブロックがスライドできるように係合し取り付けられ、前記第二移動ブロックと前記第一移動ブロックの底部端面には保存箱が固定的に取り付けられ、前記保存箱の中には小型ファンを保存できる保存チャンバが設置され、
前記回転機構は前記回転チャンバの下方に連通し設置される連結溝を含み、前記連結ロッドの後側端面の中には後方に開口した固定チャンバが設置され、前記固定ロッドが前記固定チャンバの中に固定されることができ、前記固定ロッドの底部端面と前記固定チャンバの底壁との間には固定ばねが固定的に取り付けられ、それにより連結ロッドを回し、手動で固定ロッドを上方へ引いて固定チャンバの中に置き、連結ロッドを固定し、
前記動力機構は前記連結ロッドの頂部端面に固定的に取り付けられるモータ箱を含み、前記モータチャンバが前記モータ箱の中に設置され、前記モータ箱の前側端面には外殻が固定的に取り付けられ、前記外殻の中には風チャンバが設置され、前記モータロッドが前に伸びており、前記風チャンバの後側内壁を貫通しており、前記風チャンバの前後側内壁には風穴が設置され、前記モータと前記電池箱との間には電線が固定的に連結され、前記電池チャンバの前側内壁には収容チャンバが連通し設置され、前記収容チャンバの左右内壁の間には装着軸が回転できるように係合し取り付けられ、前記装着軸には前記電池チャンバと固定できる蓋板が固定的に取り付けられ、前記蓋板の頂部端面には蓋板溝が設置され、それにより蓋板溝により蓋板を開け、電池箱の中に電池を入れ、電線によりモータに電力を提供し、モータが起動しモータロッドを回転連動させ、モータロッドが回転し羽根を回転連動させ、風を生成し、
前記保存機構は左側の前記保存箱の右側端面に設置される引きバックルを含み、右側の前記保存箱の左側端面には左方に開口した引きバックル溝が設置され、前記スライドブロックの中には位置制限チャンバが設置され、前記位置制限チャンバの中には位置制限ブロックがスライドできるように係合し取り付けられ、前記スライド溝の右側内壁には前記位置制限ブロックと固定的に連結される位置制限ロッドが固定的に取り付けられ、左側の前記保存箱の底部端面には下方に開口したボタンチャンバが設置され、前記ボタンチャンバの上方にはプッシュチャンバが設置され、前記プッシュチャンバの中にはプッシュブロックがスライドできるように係合し取り付けられ、前記プッシュブロックの底部端面には前記ボタンチャンバの頂壁を貫通しているプッシュロッドが固定的に取り付けられ、前記プッシュロッドの底部端面にはボタンが固定的に取り付けられ、前記ボタンの頂部端面と前記ボタンチャンバの頂壁との間にはボタンばねが固定的に取り付けられ、前記外殻の頂部端面の中には上方に開口した引掛り溝が設置され、前記引掛り溝の中には引掛りブロックがスライドできるように係合し取り付けられ、前記引掛りブロックの底部端面と前記引掛り溝の底壁との間には移動ばねが固定的に取り付けられ、前記引掛りブロックが前記プッシュチャンバの中に固定されることができ、それにより保存箱を引き開け、第二移動ブロックと第一移動ブロックとがスライドレールでスライドし、連結ロッドを回し、引掛りブロックをプッシュチャンバの中に固定し、保存を完成し、使用する必要があるとき、ボタンを押し、プッシュロッドをプッシュし上に移動させ、プッシュブロックが引掛りブロックを引掛り溝の中にプッシュし、小型ファンを取り出すことを特徴とする保存便利な小型ファン。
【手続補正２】
【補正対象書類名】明細書
【補正対象項目名】全文
【補正方法】変更
【補正の内容】
【発明の詳細な説明】
【技術分野】
【０００１】
本発明はファン分野を取り上げて、具体的には保存便利な小型ファンである。
【背景技術】
【０００２】
小型ファンを使わないとき、装置全体がスペースを占めており、携帯にも便利ではなく、一部の折畳小型ファンはファンを折畳むことだけであり、小型ファンを包むことがなく、カバンの中に置けば、ヘッドホンケーブルなどと絡みやすくなり、使用するときはとても不便である。
【先行技術文献】
【特許文献】
【０００３】
【特許文献１】中国特許出願公開第１０４８６３８７３号明細書
【発明の概要】
【発明が解決しようとする課題】
【０００４】
本発明の目的は保存便利な小型ファンを提供し、それは上記の現在の技術中の問題を解決できる。
【課題を解決するための手段】
【０００５】
正面視で、装着ブロックの上側には上方に開口した回転チャンバが設置されている保存便利な小型ファンであって、前記装着ブロックを含み、前記装着ブロックの中には回転可能で固定可能な回転機構が設置され、前記回転機構は前記回転チャンバを含み、前記回転チャンバの中には回転ロッドが回転できるように係合し取り付けられ、前記回転ロッドには連結ロッドが固定的に取り付けられ、前記回転チャンバの後側には固定チャンバが設置され、前記固定チャンバの中には前記連結ロッドを固定できる固定ロッドがスライドできるように係合し取り付けられ、前記回転機構の上方には小型ファンに動力を提供する動力機構が設置され、前記動力機構はモータチャンバを含み、前記モータチャンバの後側内壁の中には動力を提供するモータが固定的に取り付けられ、前記モータの後側には電池チャンバが設置され、前記電池チャンバの底壁には電池箱が固定的に取り付けられ、前記電池箱の中には前記モータに電力を提供する電池が置かれ、前記モータの前向きの出力軸の前側端面にはモータロッドが固定的に取り付けられ、前記モータロッドには三つの風を生成する羽根が固定的に取り付けられ、前記回転機構の下方には小型ファンを折畳んで置くことができる保存機構が設置され、前記保存機構は前記固定チャンバの後側に設置されたスライドレールを含み、前記スライドレールの中には第二移動ブロックと第一移動ブロックとがスライドできるように係合し取り付けられ、前記第二移動ブロックが前記第一移動ブロックの右側に位置しており、前記第二移動ブロックの中には左方に開口したスライド溝が設置され、前記スライド溝の中にはスライドブロックがスライドできるように係合し取り付けられ、前記第二移動ブロックと前記第一移動ブロックの底部端面には保存箱が固定的に取り付けられ、前記保存箱の中には小型ファンを保存できる保存チャンバが設置される。
【０００６】
さらなる技術プラン、前記回転機構は前記回転チャンバの下方に連通し設置される連結溝を含み、前記連結ロッドの後側端面の中には後方に開口した固定チャンバが設置され、前記固定ロッドが前記固定チャンバの中に固定されることができ、前記固定ロッドの底部端面と前記固定チャンバの底壁との間には固定ばねが固定的に取り付けられる。
【０００７】
さらなる技術プラン、前記動力機構は前記連結ロッドの頂部端面に固定的に取り付けられるモータ箱を含み、前記モータチャンバが前記モータ箱の中に設置され、前記モータ箱の前側端面には外殻が固定的に取り付けられ、前記外殻の中には風チャンバが設置され、前記モータロッドが前に伸びており、前記風チャンバの後側内壁を貫通しており、前記風チャンバの前後側内壁には風穴が設置され、前記モータと前記電池箱との間には電線が固定的に連結され、前記電池チャンバの前側内壁には収容チャンバが連通し設置され、前記収容チャンバの左右内壁の間には装着軸が回転できるように係合し取り付けられ、前記装着軸には前記電池チャンバと固定できる蓋板が固定的に取り付けられ、前記蓋板の頂部端面には蓋板溝が設置される。
【０００８】
さらなる技術プラン、前記保存機構は左側の前記保存箱の右側端面に設置される引きバックルを含み、右側の前記保存箱の左側端面には左方に開口した引きバックル溝が設置され、前記スライドブロックの中には位置制限チャンバが設置され、前記位置制限チャンバの中には位置制限ブロックがスライドできるように係合し取り付けられ、前記スライド溝の右側内壁には前記位置制限ブロックと固定的に連結される位置制限ロッドが固定的に取り付けられ、左側の前記保存箱の底部端面には下方に開口したボタンチャンバが設置され、前記ボタンチャンバの上方にはプッシュチャンバが設置され、前記プッシュチャンバの中にはプッシュブロックがスライドできるように係合し取り付けられ、前記プッシュブロックの底部端面には前記ボタンチャンバの頂壁を貫通しているプッシュロッドが固定的に取り付けられ、前記プッシュロッドの底部端面にはボタンが固定的に取り付けられ、前記ボタンの頂部端面と前記ボタンチャンバの頂壁との間にはボタンばねが固定的に取り付けられ、前記外殻の頂部端面の中には上方に開口した引掛り溝が設置され、前記引掛り溝の中には引掛りブロックがスライドできるように係合し取り付けられ、前記引掛りブロックの底部端面と前記引掛り溝の底壁との間には移動ばねが固定的に取り付けられ、前記引掛りブロックが前記プッシュチャンバの中に固定されることができる。
【発明の効果】
【０００９】
本発明の有益的な効果は：本発明を使用するとき、固定ロッドが固定チャンバにより連結ロッドを固定し、小型ファンの使用安定性を保証し、使用しないとき、保存機構の中にある保存チャンバが外殻と連結ロッドとを包み、ヘッドホンケーブルなどが殼の中で絡みにくく、便利に使用と保存でき、保存スペースを減少し、普及する価値がある。
【図面の簡単な説明】
【００１０】
【図１】図１は本発明の構造概略図
【図２】図２は図１のＡ−Ａ方向の断面構造概略図
【図３】図３は図１のＢ−Ｂ方向の断面構造概略図
【図４】図４は図２のＣの拡大概略図
【図５】図５は図２のＤ−Ｄ方向の断面構造概略図
【発明を実施するための形態】
【００１１】
下記に図１−５をあわせて本発明について詳しく説明し、本出願に記載された各方向は図１で本願発明装置を見る方向と同じである。
【００１２】
図１−５を参照し、正面視で、装着ブロック１４の上側には上方に開口した回転チャンバ１５が設置されている保存便利な小型ファンであって、前記装着ブロック１４を含み、前記装着ブロック１４の中には回転可能で固定可能な回転機構７０が設置され、前記回転機構７０は前記回転チャンバ１５を含み、前記回転チャンバ１５の中には回転ロッド１３が回転できるように係合し取り付けられ、前記回転ロッド１３には連結ロッド１２が固定的に取り付けられ、前記回転チャンバ１５の後側には固定チャンバ３０が設置され、前記固定チャンバ３０の中には前記連結ロッド１２を固定できる固定ロッド３３がスライドできるように係合し取り付けられ、前記回転機構７０の上方には小型ファンに動力を提供する動力機構９０が設置され、前記動力機構９０はモータチャンバ２７を含み、前記モータチャンバ２７の後側内壁の中には動力を提供するモータ２８が固定的に取り付けられ、前記モータ２８の後側には電池チャンバ５２が設置され、前記電池チャンバ５２の底壁には電池箱５０が固定的に取り付けられ、前記電池箱５０の中には前記モータ２８に電力を提供する電池５１が置かれ、前記モータ２８の前向きの出力軸の前側端面にはモータロッド２１が固定的に取り付けられ、前記モータロッド２１には三つの風を生成する羽根２２が固定的に取り付けられ、前記回転機構７０の下方には小型ファンを折畳んで置くことができる保存機構８０が設置され、前記保存機構８０は前記固定チャンバ３０の後側に設置されたスライドレール３２を含み、前記スライドレール３２の中には第二移動ブロック３１と第一移動ブロック３７とがスライドできるように係合し取り付けられ、前記第二移動ブロック３１が前記第一移動ブロック３７の右側に位置しており、前記第二移動ブロック３１の中には左方に開口したスライド溝３９が設置され、前記スライド溝３９の中にはスライドブロック３８がスライドできるように係合し取り付けられ、前記第二移動ブロック３１と前記第一移動ブロック３７の底部端面には保存箱１７が固定的に取り付けられ、前記保存箱１７の中には小型ファンを保存できる保存チャンバ１８が設置される。
【００１３】
前記回転機構７０は前記回転チャンバ１５の下方に連通し設置される連結溝１６を含み、前記連結ロッド１２の後側端面の中には後方に開口した固定チャンバ３４が設置され、前記固定ロッド３３が前記固定チャンバ３４の中に固定されることができ、前記固定ロッド３３の底部端面と前記固定チャンバ３０の底壁との間には固定ばね２９が固定的に取り付けられ、それにより連結ロッド１２を回し、手動で固定ロッド３３を上方へ引いて固定チャンバ３４の中に置き、連結ロッド１２を固定する。
【００１４】
前記動力機構９０は前記連結ロッド１２の頂部端面に固定的に取り付けられるモータ箱３５を含み、前記モータチャンバ２７が前記モータ箱３５の中に設置され、前記モータ箱３５の前側端面には外殻１１が固定的に取り付けられ、前記外殻１１の中には風チャンバ２３が設置され、前記モータロッド２１が前に伸びており、前記風チャンバ２３の後側内壁を貫通しており、前記風チャンバ２３の前後側内壁には風穴２６が設置され、前記モータ２８と前記電池箱５０との間には電線４９が固定的に連結され、前記電池チャンバ５２の前側内壁には収容チャンバ５６が連通し設置され、前記収容チャンバ５６の左右内壁の間には装着軸５５が回転できるように係合し取り付けられ、前記装着軸５５には前記電池チャンバ５２と固定できる蓋板５４が固定的に取り付けられ、前記蓋板５４の頂部端面には蓋板溝５３が設置され、それにより蓋板溝５３により蓋板５４を開け、電池箱５０の中に電池５１を入れ、電線４９によりモータ２８に電力を提供し、モータ２８が起動しモータロッド２１を回転連動させ、モータロッド２１が回転し羽根２２を回転連動させ、風を生成する。
【００１５】
前記保存機構８０は左側の前記保存箱１７の右側端面に設置される引きバックル１９を含み、右側の前記保存箱１７の左側端面には左方に開口した引きバックル溝２０が設置され、前記スライドブロック３８の中には位置制限チャンバ４０が設置され、前記位置制限チャンバ４０の中には位置制限ブロック４２がスライドできるように係合し取り付けられ、前記スライド溝３９の右側内壁には前記位置制限ブロック４２と固定的に連結される位置制限ロッド４１が固定的に取り付けられ、左側の前記保存箱１７の底部端面には下方に開口したボタンチャンバ４３が設置され、前記ボタンチャンバ４３の上方にはプッシュチャンバ４８が設置され、前記プッシュチャンバ４８の中にはプッシュブロック４７がスライドできるように係合し取り付けられ、前記プッシュブロック４７の底部端面には前記ボタンチャンバ４３の頂壁を貫通しているプッシュロッド４６が固定的に取り付けられ、前記プッシュロッド４６の底部端面にはボタン４５が固定的に取り付けられ、前記ボタン４５の頂部端面と前記ボタンチャンバ４３の頂壁との間にはボタンばね４４が固定的に取り付けられ、前記外殻１１の頂部端面の中には上方に開口した引掛り溝２５が設置され、前記引掛り溝２５の中には引掛りブロック２４がスライドできるように係合し取り付けられ、前記引掛りブロック２４の底部端面と前記引掛り溝２５の底壁との間には移動ばね３６が固定的に取り付けられ、前記引掛りブロック２４が前記プッシュチャンバ４８の中に固定されることができ、それにより保存箱１７を引き開け、第二移動ブロック３１と第一移動ブロック３７とがスライドレール３２でスライドし、連結ロッド１２を回し、引掛りブロック２４をプッシュチャンバ４８の中に固定し、保存を完成し、使用する必要があるとき、ボタン４５を押し、プッシュロッド４６をプッシュし上に移動させ、プッシュブロック４７が引掛りブロック２４を引掛り溝２５の中にプッシュし、小型ファンを取り出す。
【００１６】
使用するとき、連結ロッド１２を回し、固定ロッド３３を引き、固定ロッド３３を固定チャンバ３４の中に置き、連結ロッド１２を固定し、蓋板溝５３により蓋板５４を開け、電池箱５０の中に電池５１を入れ、電線４９によりモータ２８に電力を提供し、モータ２８が起動しモータロッド２１を回転連動させ、モータロッド２１が回転し羽根２２を回転連動させ、風を生成し、使用しないとき、保存箱１７を引き開け、第二移動ブロック３１と第一移動ブロック３７とがスライドレール３２でスライドし、連結ロッド１２を回し、引掛りブロック２４をプッシュチャンバ４８の中に固定し、保存を完成し、保存スペースを減少し、使用するとき、ボタン４５を押し、プッシュロッド４６をプッシュし上に移動させ、プッシュブロック４７が引掛りブロック２４を引掛り溝２５の中にプッシュし、小型ファンを取り出す。
【００１７】
本発明の有益的な効果は：本発明を使用するとき、固定ロッドが固定チャンバにより連結ロッドを固定し、小型ファンの使用安定性を保証し、使用しないとき、保存機構の中にある保存チャンバが外殻と連結ロッドとを包み、ヘッドホンケーブルなどが殼の中で絡みにくく、便利に使用と保存でき、保存スペースを減少し、普及する価値がある。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正３】
【補正対象書類名】図面
【補正対象項目名】図３
【補正方法】変更
【補正の内容】
【図３】
2020180610.tif 000008